(57)【要約】【課題】本発明では、防除散布作業時に操縦席に座る作業者に薬剤が降り掛かるのを少なくして乗降が容易な乗用型の薬剤散布車を提供することを課題とする。【解決手段】走行車体２に操縦席６と防除散布装置１１を設けた乗用型の薬剤散布車において、少なくとも操縦席６の前側に作業者へ薬剤が吹き付けるのを防ぎ前方を目視可能な前部薬剤遮蔽手段２８を設けたことを特徴とする乗用型の薬剤散布車とする。また、操縦席６の右側に作業者へ薬剤が吹き付けるのを防ぐ透明な右側薬剤遮蔽手段２７Ｒを設けたことを特徴とする乗用型の薬剤散布車とする。また、操縦席６の左側に作業者へ薬剤が吹き付けるのを防ぐ透明な左側薬剤遮蔽手段２７Ｌを立設したことを特徴とする乗用型の薬剤散布車とする。【選択図】図４
2015208248.tif 000002
【特許請求の範囲】
【請求項１】
走行車体席（６）の前側に作業者へ薬剤が吹き付けるのを防ぎ前方を目視可能な前部薬剤遮蔽手段（２８）を設けたことを特徴とする乗用型の薬剤散布車。
【請求項２】
操縦席（６）の右側に作業者へ薬剤が吹き付けるのを防ぐ透明な右側薬剤遮蔽手段（２７Ｒ）を設けたことを特徴とする請求項１に記載の乗用型の薬剤散布車。
【請求項３】
操縦席（６）の左側に作業者へ薬剤が吹き付けるのを防ぐ透明な左側薬剤遮蔽手段（２７Ｌ）を立設したことを特徴とすることを特徴とする請求項１或いは請求項２のいずれか１項に記載の乗用型の薬剤散布車。
【請求項４】
前部薬剤遮蔽手段（２８）と右側薬剤遮蔽手段（２７Ｒ）と左側薬剤遮蔽手段（２７Ｌ）を設け、右側薬剤遮蔽手段（２７Ｒ）と左側薬剤遮蔽手段（２７Ｌ）のいずれか片側或いは両側を側方へ開閉可能にしたことを特徴とする乗用型の薬剤散布車。
【発明の詳細な説明】
【技術分野】
【０００１】
本発明は、圃場の作物に薬剤を散布する防除散布装置を搭載した乗用型の薬剤散布車に関する。
【背景技術】
【０００２】
乗用型の薬剤散布車は、例えば、特開２０１４−３０４０１号公報に記載されているように、薬剤タンクを搭載した車体の前部に操縦席を設け、圃場を走行しながら左右に伸ばしたブームに設ける多数のノズルから薬剤を圃場の作物に散布するようにしている。
【０００３】
また、特開２００３−２７６４３７号公報には、移動車両用の簡易キャビンとして、操縦席の周囲にボックス型枠体から成るフレームを設け、このフレームをシート状のカバー体で覆ってキャビンを構成し、このキャビンの屋根にミストクーラーを設置する構成が記載されている。
【先行技術文献】
【特許文献】
【０００４】
【特許文献１】特開２０１４−３０４０１号公報
【特許文献２】特開２００３−２７６４３７号公報
【発明の概要】
【発明が解決しようとする課題】
【０００５】
前記の乗用型の薬剤散布車で散布作業を行う場合には、風の無い日を選んで行うようにしないと、散布する薬剤が風に吹かれて操縦席に座る作業者に降りかかって健康に良くない。
【０００６】
また、特許文献２に記載の移動車両用の簡易キャビンは、シート状のカバー体で操縦席を覆い屋根にミストクーラーを設置しているために、機体全体の重量が重くなって柔らかな圃場を走行する乗用型の薬剤散布車では走行抵抗が大きくなって操縦が困難になる。
【０００７】
このために、本発明では、防除散布作業時に操縦席に座る作業者に薬剤が降り掛かるのを少なくして乗降が容易な乗用型の薬剤散布車を提供することを課題とする。
【課題を解決するための手段】
【０００８】
上記本発明の課題は、次の技術手段により解決される。
請求項１に記載の発明は、走行車体２に操縦席６と防除散布装置１１を設けた乗用型の薬剤散布車において、少なくとも操縦席６の前側に作業者へ薬剤が吹き付けるのを防ぎ前方を目視可能な前部薬剤遮蔽手段２８を設けたことを特徴とする乗用型の薬剤散布車とする。
【０００９】
請求項２に記載の発明は、操縦席６の右側に作業者へ薬剤が吹き付けるのを防ぐ透明な右側薬剤遮蔽手段２７Ｒを設けたことを特徴とする請求項１に記載の乗用型の薬剤散布車とする。
【００１０】
請求項３に記載の発明は、操縦席６の左側に作業者へ薬剤が吹き付けるのを防ぐ透明な左側薬剤遮蔽手段２７Ｌを立設したことを特徴とすることを特徴とする請求項１或いは請求項２のいずれか１項に記載の乗用型の薬剤散布車とする。
【００１１】
請求項４に記載の発明は、前部薬剤遮蔽手段２８と右側薬剤遮蔽手段２７Ｒと左側薬剤遮蔽手段２７Ｌを設け、右側薬剤遮蔽手段２７Ｒと左側薬剤遮蔽手段２７Ｌのいずれか片側或いは両側を側方へ開閉可能にしたことを特徴とする乗用型の薬剤散布車とする。
【発明の効果】
【００１２】
請求項１に記載の発明で、操縦席６に座って機体の操縦を行っている作業者に防除散布装置１１で散布する薬剤が前側から吹き付けるのを前部薬剤遮蔽手段２８で防ぎ、前方の視界を妨げることなく、健康的で安全な防除作業が行える。
【００１３】
請求項２に記載の発明で、請求項１の効果に加えて、右側薬剤遮蔽手段２７Ｒで圃場の右側から吹き付ける薬剤を防ぎ、右側の視界を遮ることがない。
請求項３に記載の発明で、請求項１或いは請求項２の効果に加えて、左側薬剤遮蔽手段２７Ｌで圃場の左側から吹き付ける薬剤を防ぎ、左側の視界を遮ることがない。
【００１４】
請求項４に記載の発明で、薬剤が操縦席６に座る作業者に吹き付けるのを防ぎ、右側薬剤遮蔽手段２７Ｒと左側薬剤遮蔽手段２７Ｌのいずれか片側或いは両側を側方へ開いて、作業者が走行車体２の右側或いは左側又はどちら側からでも操縦席６への乗り降りが出来る。
【図面の簡単な説明】
【００１５】
【図１】散布作業車の右側面図である。
【図２】散布作業車の正面図である。
【図３】散布作業車の作業状態の正面図である。
【図４】薬剤遮蔽手段の右側面図である。
【図５】薬剤遮蔽手段の正面図である。
【図６】薬剤遮蔽手段の左側面図である。
【発明を実施するための形態】
【００１６】
以下に、図面を参照しながら本発明の薬剤散布車１を説明する。なお、本明細書において作業車両の前進方向に向かって左右方向をそれぞれ左、右といい、前進方向を前、後進方向を後という。そして、左右一対の構成部材がある場合、符号Ｌは左側、符号Ｒは右側を指す。
【００１７】
図１は、薬剤散布車１の側面図で、図２は、薬剤散布車１の正面図である。これら図１、図２は、後述する左右散布ブーム１１Ｌ、１１Ｒを走行車体２の左右両側面に収納した状態を示す。一方、図３は、薬剤散布車１が薬液を散布している状態を示す正面図である。
【００１８】
図１、図２に示す通り、薬剤散布車１の走行車体２には左右一対の前輪３Ｌ、３Ｒ、と左右一対の後輪４Ｌ，４Ｒが設けられていて、走行車体２の前側部には防除散布装置１１が取り付けられている。
【００１９】
尚、図２に示す通り、本実施の形態の薬剤散布車１では、最低地上高さＨが高く、輪間距離（トレッド）Ｗが広く構成されている。
走行車体２の左右一対の前輪３Ｌ，３Ｒ間の上方には、ボンネット５で覆われたエンジンＥが搭載されている。左右一対の前輪３Ｌ，３Ｒと左右一対の後輪４Ｌ，４Ｒの間の上方には操縦席６を設け、操縦席６の前方にハンドル７が設けられている。
【００２０】
ハンドル７を左右に操舵すると、後述のように、左右一対の前輪３Ｌ，３Ｒ及び左右一対の後輪４Ｌ，４Ｒが同時に連動して逆位相に操舵され、小回り走行のできる四輪操舵構成としている。
【００２１】
また、操縦席６の回りを取り囲むように薬液タンク９を着脱自在に設け、操縦席６の下方に防除ポンプが設けられ、走行車体２の左側に乗降用ステップ８５が設けられている。
また、図２に示す通り、防除散布装置１１は機体前方に位置するセンター散布ブーム１１Ｃと、センター散布ブーム１１Ｃの左右両側に設けられた左・右サイド散布ブーム１１Ｌ，１１Ｒとで構成されている。
【００２２】
そして、防除散布装置  １１を昇降シリンダー１５（図１参照）により昇降し、操縦席６の右側部に設ける開閉レバーにより左・右サイド散布ブーム１１Ｌ，１１Ｒを夫々単独で左右に突出した散布作業状態（図３参照）と、走行車体２の両側方に沿わせた状態に収容する（図１、図２参照）ように構成している。
【００２３】
そして、薬液タンク９の薬液は防除ポンプ１０により防除散布装置１１に送られ、センター散布ブーム１１Ｃ及び左・右サイド散布ブーム１１Ｌ，１１Ｒに複数設けられた散布ノズル１４，１４，・・・から、薬液が散布される（図３参照）。
【００２４】
次に、散布した薬液が操縦席６に座る作業者に降り掛からないように操縦席６を囲う薬剤遮蔽手段を設ける構成を説明する。
図４、図５、図６に薬剤遮蔽手段の構成を示している。
【００２５】
走行車体２に、ボンネット５の後部左右から前ブラケット１９Ｒ、１９Ｌで前支柱２０Ｒ、２０Ｌを立設し、その上端に四角状に囲ったフロントフレーム２１を取り付け、このフロントフレーム２１の上縁左右を左右ルーフフレーム２３Ｒ、２３Ｌに連結している。
【００２６】
左右ルーフフレーム２３Ｒ、２３Ｌは、操縦席６の後部で走行車体２に立設する後部フレーム２２から左右に開きながら垂直に立ち上げてさらに前方へ水平に伸ばしてフロントフレーム２１に連結する。
【００２７】
フロントフレーム２１の前側には透明アクリル樹脂板からなる前窓２８を取り付け、この前窓２８の下端左右中央にワイパーを駆動するワイパーモータ２９を取り付けている。この前窓２８が本発明の前部薬剤遮蔽手段となる。
【００２８】
前記左右ルーフフレーム２３Ｒ、２３Ｌには有色のアクリル樹脂板からなる天板３０を取り付け、前後間隔を隔てて斜め側方へサイドルーフ片２４Ｒ、２４Ｌ、２５Ｒ、２５Ｌを伸ばし、その上面に有色のアクリル樹脂板からなるサイド天板３１Ｒ、３１Ｌを取り付けている。
【００２９】
右側の前支柱２０Ｒには透明アクリル樹脂板からなる右下サイド遮蔽板２６Ｒを取り付け、その上側でフロントフレーム２１の右側に透明アクリル樹脂板からなる右上サイド遮蔽板２７Ｒを取り付け、前記右サイド天板３１Ｒと右上サイド遮蔽板２７Ｒと右下サイド遮蔽板２６Ｒをボルトで連結して固定し、薬液が右側から吹き込まないようにしている。
【００３０】
左側の前支柱２０Ｌには透明アクリル樹脂板からなる左下サイド遮蔽板２６Ｌをヒンジ３２，３２で取り付け、その上側でフロントフレーム２１の左側に透明アクリル樹脂板からなる左上サイド遮蔽板２７Ｌをヒンジ３１で取り付けて、外側へ開いて作業者が操縦席６に乗り込むようにして、閉じると薬液が左側から吹き込まないようにしている。
【００３１】
なお、右上サイド遮蔽板２７Ｒが本発明の右側薬剤遮蔽手段であって、左上サイド遮蔽板２７Ｌが本発明の左側薬剤遮蔽手段である。
【符号の説明】
【００３２】
２  走行車体
６  操縦席
１１  防除散布装置
２７Ｒ  右側薬剤遮蔽手段
２７Ｌ  左側薬剤遮蔽手段
２８  前部薬剤遮蔽手段
【図１】
2015208248.tif 000003
【図２】
2015208248.tif 000004
【図３】
2015208248.tif 000005
【図４】
2015208248.tif 000006
【図５】
2015208248.tif 000007
【図６】
2015208248.tif 000008